(57)【要約】      （修正有）【課題】火事が発生すると、その火事を発見して、火事が発生している部位あるいは火事が発生しそうな部位へ、ベッドあるいは寝具の使用者が寝た状態のままの遠隔操作で水あるいは消火液等の消火剤を放射して消火することができる消火装置を提供する。【解決手段】火事が発生する部位あるいは火事が発生しそうな部位へホース３を介して水あるいは消火液等の消火剤を供給して放射することができる放射ノズル５と、このホースを介して放射ノズルへ水あるいは消火液等の消火剤を供給することができる消火剤収納タンク６内に設置された水中ポンプ７あるいは消火剤収納タンク外に設置されたポンプ及びモータを用いた消火剤供給装置８と、前記放射ノズルあるいは前記ホースに設けられた開閉スイッチ４と、この開閉スイッチを解放するとともに、消火剤供給装置の水中ポンプあるいは消火剤収納タンク外に設置されたポンプ及びモータを駆動させるベッドあるいは寝具の使用者が寝た状態で遠隔操作できる駆動回路９とで消火装置１を構成している。【選択図】図１
0003210095.tif 000002
【実用新案登録請求の範囲】
【請求項１】
火事が発生する部位あるいは火事が発生しそうな部位へホースを介して水あるいは消火液等の消火剤を供給して放射することができる放射ノズルと、このホースを介して放射ノズルへ水あるいは消火液等の消火剤を供給することができる消火剤収納タンク内に設置された水中ポンプあるいは消火剤収納タンク外に設置されたポンプ及びモータを用いた消火剤供給装置と、前記放射ノズルあるいは前記ホースに設けられた開閉スイッチと、この開閉スイッチを解放するとともに、消火剤供給装置の水中ポンプあるいは消火剤収納タンク外に設置されたポンプ及びモータを駆動させるベッドあるいは寝具の使用者が寝た状態で遠隔操作できる駆動回路とからなることを特徴とする消火装置。
【考案の詳細な説明】
【技術分野】
【０００１】  本考案は火事が発生すると、その火事をベッドあるいは寝具の使用者が発見して、火事が発生している部位あるいは火事が発生しそうな部位に配置された放射ノズルへ、ベッドあるいは寝具の使用者が寝た状態のままの遠隔操作で水あるいは消火液等の消火剤を供給して放射し消火することができる消火装置に関する。
【背景技術】
【０００２】  従来、火事が発生すると、自動的にその火事を検知して警報する火災警報器が実用化されている。
しかし、この火災警報器は発生した火災を警報するだけであるため、火事が発生した部位に、素早く人手で水あるいは消火液を掛けなければ消火することができないとともに、人手で水あるいは消火液を掛けまでに手数がかかり、消火までに時間がかかるという欠点があった。
【先行技術文献】
【特許文献】
【０００３】
【特許文献１】特開２０１６−０１８５３０
【考案の概要】
【考案が解決しようとする課題】
【０００４】  本考案は以上のような従来の欠点に鑑み、火事が発生すると、その火事を発見し、火事が発生している部位あるいは火事が発生しそうな部位に配置された放射ノズルへ、ベッドあるいは寝具の使用者が寝た状態のままの遠隔操作で、素早く水あるいは消火液等の消火剤を供給して放射し、消火することができる消火装置を提供することを目的としている。【０００５】  本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】  上記目的を達成するために、本考案は火事が発生する部位あるいは火事が発生しそうな部位へホースを介して水あるいは消火液等の消火剤を供給して放射することができる放射ノズルと、このホースを介して放射ノズルへ水あるいは消火液等の消火剤を供給することができる消火剤収納タンク内に設置された水中ポンプあるいは消火剤収納タンク外に設置されたポンプ及びモータを用いた消火剤供給装置と、前記放射ノズルあるいは前記ホースに設けられた開閉スイッチと、この開閉スイッチを解放するとともに、消火剤供給装置の水中ポンプあるいは消火剤収納タンク外に設置されたポンプ及びモータを駆動させるベッドあるいは寝具の使用者が寝た状態で遠隔操作できる駆動回路とで消火装置を構成している。
【考案の効果】
【０００７】  以上の説明から明らかなように、本考案にあっては次に列挙する効果が得られる。
（１）請求項１によって、火事が発生する部位あるいは火事が発生しそうな部位で火事が発生すると、その火事を発見してベッドあるいは寝具の使用者が寝た状態で遠隔操作できる駆動回路を作動させて放射ノズルより、水あるいは消火液等の消火剤を放射して、消火することができる。
このため、発生した火事を発見したのち、水あるいは消火液等の消火剤を放射するまでの時間が短時間で、寝たきりの人でも簡単で素早く消火でき、大きな火事になるのを効率よく防止することができる。【０００８】（２）前記（１）により、放射ノズルあるいはホースの開閉スイッチを解放することにより、駆動回路で、消火剤供給装置の水中ポンプあるいは消火剤収納タンク外に設置されたポンプ及びモータを駆動させることができるで、確実に消火剤収納タンクの水あるいは消火液等の消火剤をホースを介して放射ノズルへ供給することができる。
このため、消火中に水あるいは消火液等の消火剤の供給が停止したりするのを防止することができ、確実に消火することができる。【０００９】（３）前記（１）により、火事が発生した時に、水あるいは消火液を探す時間が不要で、確実に消火できるとともに、消火の時間を短時間に行うことができる。【００１０】（４）前記（１）により、使用者の火元となる最適な位置に放射ノズルを任意に設置することができるので、使用者が最適な消火できる状態で設置することができる。【００１１】（５）前記（１）により、歩けない寝たきりの人でも、ベッドあるいは寝具の使用者が寝た状態での遠隔操作によって、駆動回路を作動させることができるので、確実に消火することができ、身の安全を図ることができる。
【図面の簡単な説明】
【００１２】
【図１】本考案を実施するための最良の第１の形態の平面図。
【図２】本考案を実施するための最良の第１の形態の概略正面図。
【図３】本考案を実施するための最良の第１の形態の消火剤供給装置の平面図。
【図４】本考案を実施するための最良の第１の形態の消火剤供給装置の正面図。
【図５】本考案を実施するための最良の第１の形態の駆動回路の説明図。
【図６】本考案を実施するための最良の第２の形態の平面図。
【図７】本考案を実施するための最良の第２の形態の消火剤供給装置の説明図。
【図８】本考案を実施するための最良の第３の形態の平面図。
【図９】本考案を実施するための最良の第３の形態のケース体内にホースを伸縮収納状態に収納した説明図。
【考案を実施するための最良の形態】
【００１３】  以下、図面に示す考案を実施するための最良の形態により、本考案を詳細に説明する。【００１４】  図１ないし図５に示す本考案を実施するための最良の第１の形態において、１は本考案の寝たばこやコンロ等のいつも決められた火を使用する場所からの出火が原因で火事が発生すると、その火事を発見して、火事が発生している部位あるいは火事が発生しそうな部位へ簡単に水あるいは消火液等の消火剤２を放射して消火することができる消火装置で、この消火装置１は火事が発生する部位あるいは火事が発生しそうな部位へ水あるいは消火液等の消火剤２を放射することができるホース３の先端に開閉スイッチ４が設けられた立設できる放射ノズル５と、前記ホース３を介して放射ノズル５へ水あるいは消火液等の消火剤２を供給することができる消火剤収納タンク６内に設置された水中ポンプ７を用いた消火剤供給装置８と、前記放射ノズル５の開閉スイッチ４を開放すると消火剤供給装置８の水中ポンプ７を駆動させるベッド９ａあるいは寝具の使用者が寝た状態でヘッド９ａあるいは寝具の近傍に設置されたスイッチ９ｂを使用者が遠隔操作できる駆動回路９と、必要において用いられる火災検知器１２とで構成されている。
前記ホース３は従来から一般に使用されている巻き取りリール１０を用いた伸縮収納できるものでもよく、あるいは前記消火剤収納タンク６から前記放射ノズル５まで配置できるものであってもよい。
前記開閉スイッチ４は前記放射ノズル５に設けられたものについて説明したが、本考案はこれに限らず、前記ホース３に設置してもよい。
前記放射ノズル５はシャワノズル等の水あるいは消火液等の消火剤２を開閉スイッチ４の開放（オン）によって霧状等に噴射できるものであり、該開閉スイッチ４の開放（オン）によって、前記消火剤供給装置８の水中ポンプ７を一端部が水中ポンプ７に接続され、他端部が開閉スイッチ４に接続されたホース３に巻き付けられた電線１１を用いた駆動回路９により駆動できるように構成されている。
また、前記放射ノズル５は図示したもの以外に、広範囲に消火剤２を放射できる広範囲放射ノズルや２連式の放射ノズルを用いてもよい。さらに、前記放射ノズル５からの消火剤２の放射圧力を強くするために、前記ホース３にポンプを介装させたり、前記消火剤供給装置６の水中ポンプ５に能力の大きいものを使用してもよい。
前記消火剤供給装置６は前記水中ポンプ５の吐出口５ａと前記ホース３の供給側のホース３ａとが接続され、排出側のホース３ｂの先端部に取り付けられた放射ノズル５へ送るように構成されている。
必要において用いられる前記火災検知器１２は従来から使用されている無線式のものが使用されている。【００１５】  上記構成の消火装置１は火事が発生しそうな部位に、放射ノズル５を設置しておくことにより、火事を発見すると、ベッド９ａあるいは寝具の使用者が寝た状態でベッド９ａあるいは寝具の近傍に設置されたスイッチ９ｂを使用者が遠隔操作で操作して、駆動回路９が駆動させて、放射ノズル５の開閉スイッチ４を解放するとともに、消火剤供給装置８の水中ポンプ７も駆動するので、水あるいは消火液等の消火剤２を火事が発生している部位に放射して、消火することができる。
なお、火災検知器１２は設置されていると自動的に火災を発見することができるが、常に人がいて、火事を簡単に発見できる場所では、必ずしも火災検知器１２がなくてもよい。
【考案を実施するための異なる形態】
【００１６】  次に、図６ないし図９に示す本考案を実施するための異なる形態につき説明する。なお、これらの本考案を実施するための異なる形態の説明に当たって、前記本考案を実施するための第１の形態と同一構成部分には同一符号を付して重複する説明を省略する。
【００１７】  図６および図７に示す本考案を実施するための第２の形態において、前記本考案を実施するための第１の形態と主に異なる点は消火剤供給装置８Ａで、この消火剤供給装置８Ａは消火剤収納タンク６内の水あるいは消火液等の消火剤２を前記放射ノズル５のホース３を介して前記放射ノズル５へ送れるように、ベース板１３上に設置した消火剤収納タンク６、この消火剤収納タンク６外のベース板１３上に設けたモータ１４とポンプ１５とで構成されている。
このように構成された消火剤供給装置８Ａを用いた、消火装置１Ａにしても前記本考案を実施するための第１の形態と同様な作用効果が得られる。
【００１８】  図８および図９に示す本考案を実施するための第３の形態において、前記本考案を実施するための第１の形態と主に異なる点は、伸縮収納できるホース３Ａで、この伸縮収納できるホース３Ａは上部が開口されたケース体１６と、このケース体１６内に円形状の巻き付け状態あるいは折り曲げ部がＵ字状に形成して収納される水中ポンプ５の吐出口５ａに供給側が接続され、排出側の先端部に放射ノズル５が取り付けられた伸縮収納できるように収納されたホース３とで構成されている。
このように構成された伸縮収納できるホース３Ａを用いた、消火装置１Ｂにしても前記本考案を実施するための第１の形態と同様な作用効果が得られる。
【００１９】
【産業上の利用可能性】
【００２０】  本考案は火事が発生するすると、その火事を発見して、火事が発生している部位あるいは火事が発生しそうな部位へ、ベッドあるいは寝具の使用者が寝た状態のままの遠隔操作で水あるいは消火液等の消火剤を放射して消火することができる消火装置を製造する産業で利用される。
【符号の説明】
【００２１】１、１Ａ、１Ｂ：消火装置、
２：水あるいは消火液等の消火剤、
３、３Ａ：ホース、
４：開閉スイッチ、
５：放射ノズル、
６、６Ａ：消火剤収納タンク、
７：水中ポンプ、
８、８Ａ：消火剤供給装置、
９：駆動回路、
１０：巻き取りリール、
１１：電線、
１２：火災検知器、
１３：ベース板、
１４：モータ、
１５：ポンプ、
１６：ケース体。
【図１】
0003210095.tif 000003
【図２】
0003210095.tif 000004
【図３】
0003210095.tif 000005
【図４】
0003210095.tif 000006
【図５】
0003210095.tif 000007
【図６】
0003210095.tif 000008
【図７】
0003210095.tif 000009
【図８】
0003210095.tif 000010
【図９】
0003210095.tif 000011